(57)【要約】  セルラネットワーク（２０４、２１２）を介して音声通信を提供するシステム（２００）及び方法が提供される。呼設定メッセージは、第１の通信装置（ＦＣＤ）から第２の通信装置（ＳＣＤ）へ、セルラネットワーク（ＣＮ）において第１の通信チャネル（ＦＣＣ）で、第１のデータ転送レート（ＦＤＴＲ）で伝達される。呼設定メッセージに応答して、促進パケットは、ＣＮへ、ＦＣＣでＦＤＴＲで伝達される。シミュレータパケットは、閾値と等しい又はそれを超える量のデータを有する。促進パケットに応答して、ＦＣＤ（２０２、２１４）及びＣＮは、第１のチャネルモードから第２のチャネルモードへ遷移する。第２のチャネルモードでは、データは、第２の通信チャネル（ＳＣＣ）で、ＦＤＴＲと異なる第２のデータ転送レート（ＳＤＴＲ）で送信される。
2013538515.tif 000002
【特許請求の範囲】
【請求項１】
セルラネットワークを介してデータ通信を提供する方法であって、
前記セルラネットワークにおいて第１の通信チャネルで、第１のデータ転送レートで、第１の通信装置から第２の通信装置へ呼設定メッセージを伝達するステップ、
前記呼設定メッセージに応答して、前記第１の通信チャネルで、前記第１のデータ転送レートで、前記第１のセルラネットワークへ促進パケットを伝達するステップであって、前記促進パケットは、閾値と等しい又はそれを超える量のデータを有する、ステップ、
前記促進パケットに応答して、前記セルラネットワーク及び前記第１又は第２の通信装置で、第１のチャネルモードから第２のチャネルモードへ遷移するステップであって、前記第１のチャネルモードは前記第２のチャネルモードと異なり、前記第２のチャネルモードでは、データが前記第１のデータ転送レートと異なる第２のデータ転送レートで、前記セルラネットワークにおいて第２の通信チャネルで送信される、ステップ、
前記第２の通信チャネルで、前記第２のデータ転送レートで、前記第１の通信装置から前記第２の通信装置へデータパケットを伝達するステップ、
を有する方法。
【請求項２】
チャネルモードを遷移するために、前記セルラネットワークと前記第１又は第２の通信装置との間で情報をやり取りするステップであって、前記情報のやり取りは、前記セルラネットワークにおいて前記促進パケットを受信するのに応答して行われる、ステップ、
を更に有する請求項１に記載の方法。
【請求項３】
前記第１又は第２の通信装置において前記促進パケットを受信し廃棄するステップ、
を更に有する請求項１に記載の方法。
【請求項４】
前記セルラネットワークは、広帯域符号分割多元接続に基づくネットワークである、請求項１に記載の方法。
【請求項５】
前記促進パケットの前記データは、スタッフデータ、管理データ、制御データ、構成データ、連絡先リストデータ、ＧＰＳデータ及び装置状態データのうちの少なくとも１つを有する、請求項１に記載の方法。
【請求項６】
前記第１又は第２の通信装置は、インターネットプロトコルに基づくサーバである、請求項１に記載の方法。
【請求項７】
セルラネットワークを介してデータ通信を提供する方法であって、
前記セルラネットワークにおいて第１の通信チャネルで、第１のデータ転送レートで、第１の通信装置から第２の通信装置へ呼設定メッセージを伝達するステップ、
前記第１又は第２の通信装置の少なくとも１つのバッファを促進パケットで満たすステップであって、前記促進パケットは、閾値と等しい又はそれを超える量のデータを有する、ステップ、
前記セルラネットワークのチャネルモードの切り替えを要求するステップ、
前記要求に応答して、前記セルラネットワーク及び前記第１又は第２の通信装置において、第１のチャネルモードから第２のチャネルモードへ遷移するステップであって、前記第１のチャネルモードは前記第２のチャネルモードと異なり、前記第２のチャネルモードでは、データが、前記セルラネットワークにおいて第２の通信チャネルで、前記第１のデータ転送レートと異なる第２のデータ転送レートで、送信される、ステップ、
前記第２の通信チャネルで、前記第２のデータ転送レートで、前記第１の通信装置から前記第２の通信装置へデータパケットを伝達するステップ、
を有する方法。
【請求項８】
チャネルモードを遷移するために、前記セルラネットワークと前記第１又は第２の通信装置との間で情報をやり取りするステップであって、前記情報のやり取りは、前記セルラネットワークで前記要求を受信するのに応答して行われる、ステップ、
を更に有する請求項７に記載の方法。
【請求項９】
前記第１又は第２の通信装置において前記促進パケットを受信し廃棄するステップ、
を更に有する請求項７に記載の方法。
【請求項１０】
前記セルラネットワークは、広帯域符号分割多元接続に基づくネットワークである、請求項７に記載の方法。
【請求項１１】
前記第１又は第２の通信装置は、インターネットプロトコルに基づくサーバである、請求項７に記載の方法。
【請求項１２】
（ａ）セルラネットワークにおいて第１の通信チャネルで、第１のデータ転送レートで、第２の通信装置から送信された呼設定メッセージを受信し、
（ｂ）前記呼設定メッセージの受信に応答して、促進パケットを前記セルラネットワークへ伝達し、前記促進パケットは、前記セルラネットワーク及び前記第２の通信装置において、第１のチャネルモードと第２のチャネルモードとの間の遷移を生じさせる閾値と等しい又はそれを超える量のデータを有し、
（ｃ）前記第１のセルラネットワークにおいて第２の通信チャネルで、前記第１のデータ転送レートと異なる第２のデータ転送レートで、前記第２の通信装置から送信されたデータパケットを受信する、
よう構成された少なくとも１つの処理装置、を有する第１の通信装置。
【請求項１３】
（ａ）セルラネットワークにおいて第１の通信チャネルで、第１のデータ転送レートで、第２の通信装置へ呼設定メッセージを伝達し、
（ｂ）前記呼設定メッセージに応答して、促進パケットを前記セルラネットワークへ伝達し、前記促進パケットは、前記セルラネットワーク及び前記第２の通信装置において、第１のチャネルモードと第２のチャネルモードとの間の遷移を生じさせる閾値と等しい又はそれを超える量のデータを有し、
（ｃ）前記第１のセルラネットワークにおいて第２の通信チャネルで、前記第１のデータ転送レートと異なる第２のデータ転送レートで、前記第２の通信装置へたデータパケットを伝達する、
よう構成された少なくとも１つの処理装置、を有する第１の通信装置。
【請求項１４】
通信装置であって、
（ａ）呼設定メッセージに応答して、少なくとも１つのバッファを促進パケットで満たし、前記促進パケットは、セルラネットワーク及び前記通信装置において第１のチャネルモードと第２のチャネルモードとの間の遷移を生じさせる閾値と等しい又はそれを超える量のデータを有し、
（ｂ）前記セルラネットワークへ、チャネルモードの切り替えの要求を伝達し、
（ｃ）前記第１のチャネルモードから前記第２のチャネルモードへ遷移し、前記第１のチャネルモードは前記第２のチャネルモードと異なり、前記第２のチャネルモードでは、データが前記第１のデータ転送レートと異なる第２のデータ転送レートで、前記セルラネットワークにおいて第２の通信チャネルで送信される、
よう構成された少なくとも１つの処理装置、を有する通信装置。
【発明の詳細な説明】
【技術分野】
【０００１】
本発明の構成は、通信システム、より詳細にはセルラネットワークで呼／コネクション確立を提供するシステム及び方法に関する。
【背景技術】
【０００２】
従来、様々なセルラネットワークが知られている。このようなセルラネットワークは、ＷＣＤＭＡ（Wideband  Code  Division  Multiple  Access、広帯域符号分割多元接続）に基づくネットワーク、ＬＴＥ（Long  Term  Evolution）に基づくネットワーク、ＬＴＥ  Advancedに基づくネットワーク、共有／共通チャネルを備えた高度な待機状態を提供する種々の他のネットワークを含む。これらのセルラネットワークの各々は、複数の通信装置及び該通信装置間の通信を実現するよう構成されたネットワーク機器を有する。各セルラネットワークは、通信装置を用いるＰＴＴサービス加入者にＰＴＴサービスを提供する場合が多い。ＰＴＴサービスは、通信装置のＰＴＴボタンを押すことによりＰＴＴサービス加入者が１又は複数の他のＰＴＴサービス加入者と直ちに会話できる即時サービスである。
【０００３】
ＷＣＤＭＡに基づくセルラネットワークは、通常、共有チャネルモード及び専用チャネルモードのような種々の通信モードに対応する。共有チャネルモードでは、データは、発呼通信装置と着呼通信装置との間で、第１のデータ転送レート（例えば１６キロビット毎秒又は３２キロビット毎秒）で、無線インタフェースの共有チャネルを介して伝達される。用語「共有チャネル」は、本願明細書で用いられるように、複数の通信装置に関連付けられたデータを伝達するチャネルを表す。専用チャネルモードでは、データは、発呼通信装置と着呼通信装置との間で、第２のデータ転送レートで、専用チャネルを介して伝達される。用語「専用チャネル」は、本願明細書で用いられるように、１つのみの通信装置に関連付けられたデータを伝達するチャネルを表す。第２のデータ転送レート（例えば２−４０メガビット毎秒）は、第１のデータ転送レートよりも大きい。
【０００４】
動作中、通信装置とネットワーク機器は、それらの間に確立されるコネクションの１又は複数の既存若しくは予測される条件に基づき、それらの共有チャネルモードと専用チャネルモードとの間を動的に切り替える。これらの条件は、通信装置から及び通信装置へ伝達されるべきデータ量を含み得るが、これに限定されない。例えば、発呼通信装置から伝達されるべきデータ量が特定の閾値又はデータレートを超える場合、発呼通信装置及び関連するネットワーク機器は、それらの共有チャネルモードからそれらの専用チャネルモードへ遷移する。同様に、着呼通信装置へ伝達されるべきデータ量が特定の閾値又はデータレートを超える場合、着呼通信装置及び関連するネットワーク機器は、それらの共有チャネルモードからそれらの専用チャネルモードへ遷移する。
【０００５】
特に、発呼通信装置は、その共有チャネルモードから専用チャネルモードへ遷移している間は、音声パケットを送信しない。同様に、着呼通信装置は、その共有チャネルモードから専用チャネルモードへ遷移している間は、音声パケットを受信しない。事実上、会話通信の中断が生じる。この会話通信の中断は、会話品質の観点から望ましくない。
【発明の概要】
【発明が解決しようとする課題】
【０００６】
以上に鑑み、呼設定の際の遅延を低減する改良された方法が必要である。これに関し、共有チャネルモードと専用チャネルモードとの間を動的に切り替える改良された方法が必要である。この改良された方法は、通信システムに従来のシステムと比べて短縮されたアップスイッチ又は通信モード切り替え時間を供給することを実現する。
【課題を解決するための手段】
【０００７】
本発明の実施形態は、概して、セルラネットワークにおいて呼／コネクション確立を提供するシステム及び方法を実施することに関する。本発明の態様によると、方法は、呼設定メッセージを第１の通信装置から第２の通信装置へ、セルラネットワークにおいて第１の通信チャネルで、第１のデータ転送レートで伝達するステップを有する。呼設定メッセージに応答して、促進パケットは、第１のセルラネットワークへ、第１の通信チャネルで第１のデータ転送レートで伝達される。促進パケットは、閾値と等しい又はそれを超える量のデータを有する。促進パケットに応答して、セルラネットワークは、第１のチャネルモードから第２のチャネルモードへ遷移する。また、第１又は第２の通信装置は、第１のチャネルモードから第２のチャネルモードへ遷移する。第１のチャネルモードは、第２のチャネルモードと異なる。第２のチャネルモードでは、データは、セルラネットワークにおいて第２の通信チャネルで、第１のデータ転送レートと異なる第２のデータ転送レートで送信される。チャネルモード変更の後、データパケットは、第１の通信装置から第２の通信装置へ、第２通信チャネルで第２のデータ転送レートで伝達できる。
【０００８】
本発明の他の態様によると、方法は、通信装置の少なくとも１つのバッファを促進パケットで満たすステップを有する。これに続き、セルラネットワークのチャネルモードを切り替える要求が為される。要求に応答して、セルラネットワークは、第１のチャネルモードから第２のチャネルモードへ遷移する。同様に、第１又は第２の通信装置は、第１のチャネルモードから第２のチャネルモードになる。
【図面の簡単な説明】
【０００９】
実施形態は、以下の図面を参照して説明される。全図を通じて、類似の数字は類似の項目を表す。
【図１】本発明を理解するのに有用なセルラネットワークを介してデータ通信を提供する従来の方法のフロー図である。
【図２】本発明を理解するのに有用な例示的な通信システムのブロック図である。
【図３】図２に示した例示的な通信装置の更に詳細なブロック図である。
【図４】図２に示した例示的なアクセスポイントの更に詳細なブロック図である。
【図５】本発明を理解するのに有用なセルラネットワークを介してデータ通信を提供する例示的な方法のフロー図である。
【図６】本発明を理解するのに有用なセルラネットワークを介してデータ通信を提供する別の例示的な方法のフロー図である。
【図７】本発明を理解するのに有用なセルラネットワークを介してデータ通信を提供する別の例示的な方法のフロー図である。
【図８】本発明を理解するのに有用なセルラネットワークを介してデータ通信を提供する更に別の例示的な方法のフロー図である。
【発明を実施するための形態】
【００１０】
本発明は、添付の図面を参照して説明される。図中、同様の参照符号が同様の又は等価な要素を示すために用いられる。図は、縮尺通りではなく、単に発明の例を示すために提供される。本発明の幾つかの態様は、説明のために例示的な適用を参照して以下に説明される。理解されるべき点は、多くの特定の詳細事項、関係及び方法が本発明の完全な理解を提供するために説明されることである。しかしながら、当業者は、本発明が特定の詳細事項のうちの１又は複数がなくても又は他の方法で実施できることを直ちに理解するだろう。他の例では、良く知られた構造又は動作は、本発明を不明瞭にしないために詳細に示されない。本発明は、示された動作又はイベントの順序により限定されない。幾つかの動作は他の動作又はイベントと異なる順序で及び／又は同時に生じ得る。さらに、示された全ての動作又はイベントが本発明による方法を実施するために必要ではない。
【００１１】
本発明の実施形態は、概して、セルラネットワークにおいて呼／コネクション確立を提供するシステム及び方法を実施することに関する。特に、本発明のシステム及び方法は、セルラネットワークにおいて呼／コネクション確立を提供する従来実施されているシステム及び方法の特定の欠点を克服するよう構成される。例えば、本発明は、従来の通信システムに比べて、呼を確立するときに音声及び／又はデータパケットの送信の遅延を低減する。
【００１２】
特定のシナリオでは、方法は、ネットワークを介した音声通信（例えば、ＰＴＴ音声通信）の提供を含む。特に、本発明のシステム及び方法は、セルラネットワークを介して音声通信を提供する従来実施されているシステム及び方法の特定の欠点を克服するよう構成される。これに関し、理解されるべき点は、通常、幾つかの音声パケットが受信側通信装置のバッファを満たす必要があることである。バッファを満たす処理は時間がかかる。また、一部の音声パケットにより定められるオーディオは、送信側及び受信側通信装置による最終的なアップスイッチ又は通信モード切り替えに起因する比較的大きなギャップの前に、受信側通信装置から出力される。従来の通信システムとは対照的に、本発明では、有利なことに、送信側及び受信側通信装置によるアップスイッチ又は通信モード切り替えの前に、全く又は低減された量のオーディオしか受信側通信装置から出力されないことを保証する。
【００１３】
これに関し、理解されるべき点は、本発明の方法の実施形態が、概して、呼設定メッセージを発呼通信装置から第１のネットワークアクセスポイント（例えばサーバ）から第１の通信チャネル（例えば共有チャネル）を介して第１のセルラネットワーク（例えばＷＣＤＭＡに基づくネットワーク）内で第１のデータ転送レート（例えば１６キロビット毎秒又は３２キロビット毎秒）で伝達することを含むことである。呼設定メッセージに応答して、促進パケットは、第１のネットワークアクセスポイントから第１のセルラネットワークへ、第１の通信チャネルを介して第１のデータ転送レートで伝達される。促進パケットは、閾値と等しい又はそれを超える量のデータを有する。促進パケットに応答して、第１のチャネルモード（例えば共有チャネルモード）から第２のチャネルモード（例えば専用チャネルモード）へ遷移するために、第１のセルラネットワークと発呼通信装置との間で情報をやり取りする。第２のチャネルモードでは、データは、第２の通信チャネル（例えば専用チャネル）で、第１のセルラネットワーク内で、第２のデータ転送レート（例えば２−４０メガビット毎秒）で転送される。第２のチャネルモードに遷移した後、促進パケットは、第１のセルラネットワークから発呼通信装置へ、第２通信チャネルを介して第２のデータ転送レートで伝達される。また、データパケットは、発呼通信装置から第１のネットワークアクセスポイントへ、第２の通信チャネルで第２のデータ転送レートで伝達される。
【００１４】
本発明の方法の方法は、代替として、呼設定メッセージを発呼通信装置から第１のネットワークアクセスポイント（例えばサーバ）から第１の通信チャネル（例えば共有チャネル）を介して第１のセルラネットワーク（例えばＷＣＤＭＡに基づくネットワーク）内で第１のデータ転送レート（例えば１６キロビット毎秒又は３２キロビット毎秒）で伝達することを含むことができる。呼設定メッセージに応答して、発呼通信装置のバッファは、促進パケットで満たされる。促進パケットは、第１のセルラネットワークのアップスイッチに対する要求の生成をトリガする。次に、要求は、発呼通信装置から第１のセルラネットワークへ伝達される。要求が受信されると、第１のセルラネットワークは、第１のチャネルモード（例えば共有チャネルモード）から第２のチャネルモード（例えば専用チャネルモード）へ遷移するために、発呼通信装置との情報のやり取りを開始する。第２のチャネルモードに遷移した後、促進パケットは、発呼通信装置から第１のネットワークアクセスポイントへ、第２通信チャネルを介して第２のデータ転送レートで伝達できる。また、データパケットは、発呼通信装置から第１のネットワークアクセスポイントへ、第２の通信チャネルで第２のデータ転送レートで伝達できる。
【００１５】
本発明の上述の方法の実施形態は、呼設定メッセージを発呼通信装置（例えば携帯電話機）へ第３の通信チャネル（例えば共有チャネル）を介して第２のセルラネットワーク（例えばＷＣＤＭＡに基づくネットワーク）内で第１のデータ転送レートで転送することも含み得る。呼設定メッセージに応答して、促進パケットは、第２のネットワークアクセスポイントから第２のセルラネットワークへ、第３の通信チャネルを介して第１のデータレートで伝達される。促進パケットに応答して、第２のセルラネットワークは、第１のチャネルモード（例えば共有チャネルモード）から第２のチャネルモード（例えば専用チャネルモード）へ遷移するために、着呼通信装置との情報のやり取りを開始する。第２のチャネルモードに遷移した後、促進パケットは、第２のセルラネットワークから着呼通信装置へ、第４通信チャネルを介して第２のデータ転送レートで伝達される。このシナリオでは、発呼通信装置及び着呼通信装置は、有利なことに、それらの第１のチャネルモードからそれらの第２のチャネルモードへ実質的に同時に遷移する。事実上、チャネル遷移の合計時間は、従来の通信システムと比べて有意に削減される（例えば約５０％削減される）。
【００１６】
本発明の上述の方法は、代替として、呼設定メッセージを発呼通信装置（例えば携帯電話機）へ第３の通信チャネル（例えば共有チャネル）を介して第２のセルラネットワーク（例えばＷＣＤＭＡに基づくネットワーク）内で第１のデータ転送レートで転送することを含み得る。呼設定メッセージに応答して、着呼通信装置のバッファは、促進パケットで満たされる。促進パケットは、第２のセルラネットワークのアップスイッチに対する要求の生成をトリガする。次に、要求は、着呼通信装置から第２のセルラネットワークへ伝達される。要求が受信されると、第２のセルラネットワークは、第１のチャネルモード（例えば共有チャネルモード）から第２のチャネルモード（例えば専用チャネルモード）へ遷移するために、着呼通信装置との情報のやり取りを開始する。第２のチャネルモードに遷移した後、促進パケットは、着呼通信装置から第２のネットワークアクセスポイントへ、第４通信チャネルを介して第２のデータ転送レートで伝達できる。このシナリオでは、発呼通信装置及び着呼通信装置は、有利なことに、それらの第１のチャネルモードからそれらの第２のチャネルモードへ実質的に同時に遷移する。事実上、チャネル遷移の合計時間は、従来の通信システムと比べて有意に削減される（例えば約５０％削減される）。
【００１７】
特に、本発明は、セルラネットワークを介して音声及びデータ通信を提供する従来実施されているシステム及び方法の様々な欠点を克服する。例えば、本発明は、従来の通信システムに比べて、呼を確立するときに音声及び／又はデータパケットの送信の遅延（又は待ち時間）を低減する。また、本発明は、通信装置（例えば携帯電話機）がチャネルモード間を遷移するときに、会話通信で生じ得るギャップを最小化又は除去する。本発明の遅延（又は待ち時間）の削減及びギャップの最小化／除去という特徴は、議論が進むにつれて一層明らかになるだろう。
【００１８】
本発明は、以下に音声通信、より詳細にはＰＴＴ音声通信に関して記載される。しかしながら、本発明はこの点に限定されない。例えば、本発明は、通信システムにおいて比較的速い呼／コネクション確立の必要がある状況に適用可能である。
【００１９】
＜セルラネットワークを介してＰＴＴ音声通信を提供する従来の方法＞
図１を参照すると、本発明の遅延（又は待ち時間）の削減及びギャップの最小化／除去という特徴を理解するのに有用な従来のセルラネットワークに基づくシステムを介してＰＴＴ音声通信を提供する従来の処理のフロー図が示される。従来のセルラネットワークに基づくシステムは、通信装置を用いるＰＴＴサービス加入者にＰＴＴサービスを提供するよう構成される。ＰＴＴサービスは、通信装置のＰＴＴボタンを押すことによりＰＴＴサービス加入者が１又は複数の他のＰＴＴサービス加入者と直ちに会話できる即時サービスである。
【００２０】
図１に示すように、セルラネットワークに基づくシステムは、従来の通信装置１５２、１６４、セルラネットワーク１５４、１６２、アクセスポイント１５６、１６０、ホストシステムインフラストラクチャ（例えばスイッチ）１５８を有する。従来のコンポーネント１５２、１６４、１５４、１６２、１５６、１６０、１５８の各々は、当業者に良く知られているので、ここでは説明しない。しかしながら、理解されるべき点は、通信装置１５２、１６４がそれらのアイドルモード、バッテリ節約モード又は共有チャネルモードにあることである。通信装置１５２、１６４のアイドルモード及びバッテリ節約モードは、当業者に良く知られているので、ここでは説明しない。議論を明確且つ容易にするため、セルラネットワーク１５４、１６２は、ＷＣＤＭＡに基づくネットワークであると選択される。
【００２１】
動作中、ステップ１０２に示すように、ユーザは、発呼通信装置１５２のＰＴＴボタンを押下する。ＰＴＴボタンの押下に応答して、ステップ１０４に示すように、発呼通信装置１５２はＰＴＴ呼設定メッセージを生成する。ＰＴＴ呼設定メッセージは、呼の種類（例えば、個別呼かグループ呼か）及び呼び出されている通信装置を識別する情報を含むが、これらに限定されない。また、ステップ１０４に示すように、ＰＴＴ呼設定メッセージは、発呼通信装置１５２からアクセスポイント１５６へ、セルラネットワーク１５４を介して、無線インタフェースの共有チャネルで送信される。ステップ１０６で、アクセスポイント１５６は、ＰＴＴ呼設定メッセージをアクセスポイント１６０へホストシステムインフラストラクチャ（例えばスイッチ）１５８を介して転送する。また、アクセスポイント１６０は、ＰＴＴ呼設定メッセージを着呼通信装置１６４へセルラネットワーク１６２を介して無線インタフェースの共有チャネルで転送する。ステップ１１２に示すように、ＰＴＴ呼設定メッセージを受信すると、着呼通信装置１６４は、受信モードに入り、発呼通信装置１５２からの音声パケットを待つ。
【００２２】
ステップ１０８に示すように、ＰＴＴ呼設定メッセージの送信に続き、発呼通信装置１５２は、音声パケットを記録し、アクセスポイント１５６へセルラネットワーク１５４を介して無線インタフェースの共有チャネルで送信する。ステップ１１０で、音声パケットは、アクセスポイント１５６からアクセスポイント１６０へホストシステムインフラストラクチャ（例えばスイッチ）１５８を介して転送される。また、アクセスポイント１６０は、音声パケットを着呼通信装置１６４へセルラネットワーク１６２を介して無線インタフェースの共有チャネルで転送する。ステップ１１４に示すように、着呼通信装置１６４で、音声パケットは処理され、会話が着呼通信装置１６４のユーザインタフェース（例えばスピーカ）を介してユーザに出力される。
【００２３】
ステップ１２６で、発呼通信装置１５２のユーザが発呼通信装置１５２のマイクロフォンに話し続けている間、発呼通信装置１５２は音声パケットを記録しキューに入れる。また、セルラネットワーク１５４は、発呼通信装置１５２から伝達されるべき実際の又は予測したデータ量が閾値を超えるかどうかを決定するための動作を実行する。この決定はステップ１１６で実行される。また、セルラネットワーク１５４が、発呼通信装置１５２から伝達されるべき実際の又は予測したデータ量が閾値を超えると決定した場合、ステップ１１８が実行される。ステップ１１８で、セルラネットワーク１５４は、共有チャネルモードから専用チャネルモードへ切り替えるための動作を実行する。チャネルモード切り替えは、セルラネットワーク１５４と発呼通信装置１５２との間の情報のやり取りにより達成される。特に、これらの情報のやり取りは、ＰＴＴアプリケーションの制御外で実行できる。これらの情報のやり取りの結果、ステップ１２０に示すように、セルラネットワーク１５４の機器（例えば、基地局）は、自身の共有チャネルモードから自身の専用チャネルモードへ切り替える。同様に、ステップ１２０に示すように、発呼通信装置１５２も、自身の共有チャネルモードから自身の専用チャネルモードへ切り替える。
【００２４】
ステップ１２２に示すように、チャネルモード切り替えに続き、音声パケットは、発呼通信装置１５２からアクセスポイント１５６へ、セルラネットワーク１５４を介して、専用チャネルで送信される。ステップ１２２に示すように、アクセスポイント１５６は、音声パケットをアクセスポイント１６０へホストシステムインフラストラクチャ（例えばスイッチ）１５８を介して転送する。また、ステップ１２２に更に示すように、アクセスポイント１６０は、音声パケットを着呼通信装置１６４へセルラネットワーク１６２を介して無線インタフェースの共有チャネルで転送する。ステップ１２３に示すように、着呼通信装置１６４で、音声パケットは処理され、会話が着呼通信装置１６４のユーザインタフェース（例えばスピーカ）を介してユーザに出力される。
【００２５】
ステップ１２４に示すように、セルラネットワーク１６２で、セルラネットワーク１６２により、着呼通信装置１６４で受信されるべき実際の又は予測したデータ量が閾値を超えるかどうかを決定するための動作が実行される。ステップ１２６に示すように、セルラネットワーク１６２が、着呼通信装置１６４で受信されるべき実際の又は予測したデータ量が閾値を超えると決定した場合、セルラネットワーク１６２は、共有チャネルモードから専用チャネルモードへの切り替えを促すための動作を実行する。チャネルモード切り替えは、セルラネットワーク１６２と着呼通信装置１６４との間の情報のやり取りにより達成される。これらの通信の結果、ステップ１２８に示すように、セルラネットワーク１６２の機器（例えば、基地局）は、自身の共有チャネルモードから自身の専用チャネルモードへ切り替える。同様に、ステップ１２８に示すように、着呼通信装置１６４は、自身の共有チャネルモードから自身の専用チャネルモードへ切り替える。
【００２６】
ステップ１３０に示すように、チャネルモード切り替えに続き、音声パケットは、発呼通信装置１５２からアクセスポイント１５６へ、セルラネットワーク１５４を介して、専用チャネルで送信される。ステップ１３０に示すように、アクセスポイント１５６は、音声パケットをアクセスポイント１６０へホストシステムインフラストラクチャ（例えばスイッチ）１５８を介して転送する。また、ステップ１３０に更に示すように、アクセスポイント１６０は、音声パケットを着呼通信装置１６４へセルラネットワーク１６２を介して専用チャネルで転送する。ステップ１３２に示すように、着呼通信装置１６４で、音声パケットは処理され、会話が着呼通信装置１６４のユーザインタフェース（例えばスピーカ）を介してユーザに出力される。
【００２７】
特に、発呼通信装置１５２は、その共有チャネルモードから専用チャネルモードへ遷移している間は、音声パケットを送信しない。同様に、着呼通信装置１６４は、その共有チャネルモードから専用チャネルモードへ遷移している間は、音声パケットを受信しない。事実上、会話通信の中断が生じる。これらの会話通信の中断は、図１に時間ギャップ１４４及び１４６により示される。これらの会話通信の中断１４４、１４６は、会話品質の観点から望ましくない。
【００２８】
したがって、本発明は、セルラネットワークを介してデータ通信を提供する改良されたシステム及び方法を提供する。改良されたシステム及び方法は、通信装置がチャネルモード間を遷移するときの待ち時間を最小化する。また、改良されたシステム及び方法は、通信装置がチャネルモード間を遷移するときに、会話通信で生じ得るギャップ１４４、１４６を最小化又は除去する。図２乃至図４に関連して、例示的な改良されたシステムを以下に説明する。図５乃至図８に関連して、セルラネットワークを介してデータ通信を提供する例示的な改良された方法を以下に説明する。
【００２９】
＜本発明を実施する例示的な通信システム＞
図２を参照すると、本発明の１又は複数の方法の実施形態を実施する通信システム２００のブロック図が示される。通信システム２００は、第３世代（３Ｇ）準拠システムであり得るが、これに限定されない。用語「第３世代（３Ｇ）」は、本願明細書で用いられるように、第３世代無線通信技術を表す。また、通信システム２００は、様々な３Ｇデータサービス（例えば、テキストメッセージ及びビデオ通話）に対応する。
【００３０】
図２に示すように、通信システム２００は、通信装置２０２、２１４、セルラネットワーク２０４、２１２、アクセスポイント２０６、２１０、ホストシステムインフラストラクチャ２０８を有する。通信システム２００は、図２に示したより多くの又は少ないコンポーネントを有しても良い。しかしながら、示したコンポーネントは、本発明を実施する説明のための実施形態を開示するために十分である。図２のハードウェアアーキテクチャは、ＰＴＴサービスをＰＴＴサービス加入者に提供するよう構成された代表的な通信システムの一実施形態を示す。ＰＴＴサービスは、通信装置２０２、２１４のキー又はボタンを押すことによりＰＴＴサービス加入者が１又は複数の他のＰＴＴサービス加入者と直ちに会話できる即時サービスである。
【００３１】
アクセスポイント２０６、２１０は、通信装置２０２、２１４及び／又はホストシステムインフラストラクチャ２０８の間の通信を可能にする。また、アクセスポイント２０６、２１０は、セルラネットワーク２０４、２１２がコネクション（例えばインターネットプロトコル（ＩＰ）コネクション）を介して接続できるデータサーバ及び他の装置を含みうるが、これらに限定されない。図４に関して、以下にアクセスポイント２０２、２１４をより詳細に説明する。
【００３２】
セルラネットワーク２０４、２１２及びホストシステムインフラストラクチャ２０８は、当業者に良く知られているので、ここでは詳細に説明しない。しかしながら、理解されるべき点は、ホストシステムインフラストラクチャ２０８がスイッチシステムを含み得るが、これに限定されないことである。セルラネットワーク２０４、２１４は、同一種類のネットワーク又は異種ネットワークであり得る。例えば、セルラネットワーク２０４、２１４の各々は、ＷＣＤＭＡ（Wideband  Code  Division  Multiple  Access）に基づくネットワークである。代替として、セルラネットワーク２０４、２１４のうちの一方のみが、ＷＣＤＭＡに基づくネットワークである。このシナリオでは、他のネットワーク２０４、２１２は、ＬＴＥに基づくネットワーク又はＬＴＥ  Ａｄｖａｎｃｅｄに基づくネットワークであり得るが、これらに限定されない。
【００３３】
本発明の実施形態はこれに関して限定されない。
【００３４】
セルラネットワーク２０４、２１４がＷＣＤＭＡに基づくネットワークである場合、該ネットワークは、種々の通信モードに対応する。これらの通信モードは、共有チャネルモード及び専用チャネルモードを含むが、これらに限定されない。共有チャネルモードでは、ＰＴＴ音声データは、通信装置２０２、２１４とアクセスポイント２０６、２１０との間で、ＷＣＤＭＡに基づくセルラネットワーク２０４、２１２を介して、第１のデータ転送レート（例えば１６キロビット毎秒又は３２キロビット毎秒）で、無線インタフェースの共有チャネルを介して伝達される。専用チャネルモードでは、ＰＴＴ音声データは、通信装置２０２、２１４とアクセスポイント２０６、２１０との間で、ＷＣＤＭＡに基づくセルラネットワーク２０４、２１２を介して、第２のデータ転送レートで、専用チャネルを介して伝達される。第２のデータ転送レート（例えば２乃至４０メガビット毎秒）は、第１のデータ転送レートよりも大きい。
【００３５】
動作中、データ通信サービス（例えば、ＰＴＴサービス）が利用されるとき、チャネルモードは、共有チャネルモードから専用チャネルモードへ動的に切り替えられる。図５乃至図８に関して、例示的なチャネルモード切り替え方式を以下に詳細に説明する。しかしながら、理解されるべき点は、本発明のチャネルモード切り替え方式が有利なことに呼設定の遅延を短縮させることである。また、本発明は、有利なことに、通信装置２０２、２１４がチャネルモード間を遷移するときに生じ得る会話の中断を減少又は除去する。事実上、本発明は、従来の通信システムと比べて会話品質の向上をもたらす。
【００３６】
図３を参照すると、図２に示した例示的な通信装置２０２の更に詳細なブロック図が示される。通信装置２１４は、通信装置２０２と同じか又は同様である。また、通信装置２０２の以下の議論は、図２の通信装置２１４を理解するために十分である。特に、通信装置２０２は、図３に示したより多くの又は少ないコンポーネントを有しても良い。例えば、通信装置２０２は、（以下に説明する）コンポーネント３４０、３１４及び（以下に説明する）電気的コネクション３３６のような図３に示した種々のコンポーネントを有しなくても良い。しかしながら、示したコンポーネントは、本発明を実施する説明のための実施形態を開示するために十分である。図３のハードウェアアーキテクチャは、ＰＴＴサービスのＰＴＴサービス加入者への提供を実現するよう構成された代表的な通信装置の一実施形態を示す。
【００３７】
図３に示すように、通信装置２０２は、無線周波数（ＲＦ）信号を受信及び送信するアンテナ３０２を有する。受信／送信（Ｒｘ／Ｔｘ）スイッチ３０４は、当業者に良く知られている方法で、アンテナ３０２を送信回路３０６及び受信回路３０８に選択的に結合する。受信回路３０８は、セルラネットワーク（例えば、図２のセルラネットワーク２０４）から受信したＲＦ信号を復調及び復号化し、該ＲＦ信号から情報を引き出す。受信回路３０８は、電気的コネクション３３４を介して制御部３１０に結合される。受信回路３０８は、復号化したＲＦ信号の情報を制御部３１０に提供する。制御部３１０は、通信装置２０２の機能に従って、復号化されたＲＦ信号の情報を用いる。
【００３８】
また、制御部３１０は、ＲＦ信号に符号化及び変調するために送信回路３０６に情報を提供する。したがって、制御部３１０は、電気的コネクション３３８を介して送信回路３０６に結合される。送信回路３０６は、外部装置（例えば、図２のセルラネットワーク２０４の基地局）へ送信するために、ＲＦ信号をアンテナ３０２へ伝達する。
【００３９】
アンテナ３４０は、ＧＰＳ信号を受信するＧＰＳ（Global  Positioning  System）受信回路３１４に結合される。ＧＰＳ受信回路３１４は、ＧＰＳ信号を復調及び復号化し、該ＧＰＳ信号からＧＰＳ位置情報を抽出する。ＧＰＳ位置情報は、通信装置２０２の位置を示す。ＧＰＳ受信回路３１４は、復号化したＧＰＳ位置情報を制御部３１０に提供する。また、ＧＰＳ受信回路３１４は、電気的コネクション３３６を介して制御部３１０に結合される。制御部３１０は、通信装置２０２の機能に従って、復号化されたＧＰＳ位置情報を用いる。
【００４０】
制御部３１０は、復号化されたＲＦ信号の情報及び復号化されたＧＰＳ位置情報を通信装置２０２のメモリ３１２格納する。したがって、メモリ３１２は、電気的コネクション３３２を通じて制御部３１０に接続され制御部３１０にアクセス可能である。メモリ３１２は、揮発性メモリ及び／又は不揮発性メモリであっても良い。例えば、メモリ３１２は、ＲＡＭ（Random  Access  Memory）、ＤＲＡＭ（Dynamic  Random  Access  Memory）、ＳＲＡＭ（Static  Random  Access  Memory）、ＲＯＭ（Read-Only  Memory）及びフラッシュメモリを含み得るが、これらに限定されない。
【００４１】
図３に示すように、１又は複数の命令３５０は、メモリ３１２に格納される。また、命令３５０は、通信装置２０２による命令３５０の実行中に、制御部３１０内に完全に又は少なくとも部分的に存在できる。これに関し、メモリ３１２及び制御部３１０は、機械可読媒体に含まれ得る。用語「機械可読媒体」は、本願明細書で用いられるように、命令３５０の１又は複数のセットを格納する単一の媒体又は複数の媒体を表す。また、用語「機械可読媒体」は、本願明細書で用いられるように、通信装置２０２による実行のために命令３５０のセットを格納しエンコードし又は持ち運ぶことが可能であり、通信装置２０２に本開示の１又は複数の方法を実行させる任意の媒体を表す。
【００４２】
制御部３１０は、ユーザインタフェース３３０にも接続される。ユーザインタフェース３３０は、入力装置３１６、出力装置３２４、ユーザにコンピュータ装置２０２にインストールされたソフトウェア（図３に示さない）と相互作用し該ソフトウェアを制御させるソフトウェアルーチン（図３に示さない）を有する。このような入力及び出力装置は、ディスプレイ３２８、スピーカ３２６、キーパッド３２０、指向性パッド（図３に示さない）、指向性ノブ（図３に示さない）、マイクロフォン３２２及びＰＴＴボタン３１８を有するが、これらに限定されない。ディスプレイ３２８は、タッチスクリーン入力を受け付けるよう設計されても良い。また、ユーザインタフェース３３０は、ＰＴＴアプリケーション（図３に示さない）及びコンピュータ装置２０２にインストールされた他の種類のアプリケーションを立ち上げるユーザ−ソフトウェア相互作用を実現できる。
【００４３】
ディスプレイ３２８、キーパッド３２０、指向性パッド（図３に示さない）及び指向性ノブ（図３に示さない）は、共同で、ユーザに通信装置２０２の１又は複数のデータアプリケーション又は機能を開始する手段を提供できる。データアプリケーションは、通信装置２０２を用いるユーザへのデータ通信サービスの提供を実現できる。また、データアプリケーションは、データ通信動作を実行するよう動作する。データ通信動作は、メッセージ生成動作、メッセージ通信動作、データパケット記録動作、データパケットキューイング動作、データパケット通信動作、及びチャネルモード切り替え動作を含み得るが、これらに限定されない。チャネルモード切り替え動作は、通信装置２０２での及び／又はセルラネットワーク（例えば、図２のセルラネットワーク２０４）の機器でのチャネルモード切り替えを少なくとも促すために実行される。
【００４４】
ＰＴＴボタン３１８は、ユーザがＰＴＴボタン３１８に容易にアクセスできるようフォームファクタを与えられる。例えば、ＰＴＴボタン３１８は、通信装置２０２の他のキー又はボタンよりも高くできる。本発明の実施形態はこれに関して限定されない。ＰＴＴボタン３１８は、ユーザに、所定のＰＴＴアプリケーション又は通信装置２０２の機能を開始するための単一のキー／ボタン押下を提供する。ＰＴＴアプリケーションは、通信装置２０２を用いるＰＴＴサービス加入者へのＰＴＴサービスの提供を実現する。また、ＰＴＴアプリケーションは、ＰＴＴ通信動作を実行するよう動作する。ＰＴＴ通信動作は、メッセージ生成動作、メッセージ通信動作、音声パケット記録動作、音声パケットキューイング動作、音声パケット通信動作、及びチャネルモード切り替え動作を含み得るが、これらに限定されない。チャネルモード切り替え動作は、通信装置２０２での及び／又はセルラネットワーク（例えば、図２のセルラネットワーク２０４）の機器でのチャネルモード切り替えを少なくとも促すために実行される。
【００４５】
図４を参照すると、本発明を理解するのに有用な図２に示した例示的な通信装置２０６の更に詳細なブロック図が示される。アクセスポイント２１０は、アクセスポイント２０６と同じか又は同様である。また、アクセスポイント２０６の以下の議論は、図２のアクセスポイント２１０を理解するために十分である。特に、アクセスポイント２０６は、図４に示したより多くの又は少ないコンポーネントを有しても良い。しかしながら、示したコンポーネントは、本発明を実施する説明のための実施形態を開示するために十分である。図４のハードウェアアーキテクチャは、ＰＴＴサービス加入者へのＰＴＴサービスの提供を実現するよう構成された代表的なアクセスポイントの一実施形態を示す。
【００４６】
図４に示したように、アクセスポイント２０６は、システムインタフェース４２２、ユーザインタフェース４０２、中央処理ユニット（ＣＰＵ）４０６、システムバス４１０、システムバス４１０を通じてアクセスポイント２０６の他の部分に接続されアクセス可能なメモリ４１２、システムバス４１０に接続されたハードウェアエンティティ４１４を有する。ハードウェアエンティティ４１４の少なくとも幾つかは、メモリ４１２へのアクセス及びメモリ４１２の使用を含む動作を実行する。メモリ４１２は、ＲＡＭ（random  access  memory）、ディスクドライバ、及び／又はＣＤ−ＲＯＭ（compact  disc  read  only  memory）であっても良い。
【００４７】
システムインタフェース４２２は、アクセスポイント２０６が、外部通信装置（例えば、図２の通信装置２０２）と直接的又は間接的に通信することを可能にする。アクセスポイント２０６が外部通信装置と間接的に通信している場合、アクセスポイント２０６は、共通無線ネットワーク（例えば、図２に示したセルラネットワーク２０４）を通じて通信を送信及び受信している。
【００４８】
ハードウェアエンティティ４１４は、マイクロプロセッサ、ＡＳＩＣ（application  specific  integrated  circuit）及び他のハードウェアを有しても良い。ハードウェアエンティティ４１４は、ＰＴＴサービス加入者へのデータ通信サービス及び／又はＰＴＴサービス（つまり、データ通信を介した音声サービス）の提供を実現するようプログラミングされたマイクロプロセッサを有しても良い。これに関し、理解されるべき点は、マイクロプロセッサがアクセスポイント２０６にインストールされたデータ通信アプリケーション及び／又はＰＴＴサービスアプリケーションにアクセスし、それらを実行できることである。データアプリケーションは、データ通信動作を実行するよう動作する。データ通信動作は、メッセージ転送動作、データパケット転送動作、及びチャネルモード切り替え動作を含み得るが、これらに限定されない。同様に、ＰＴＴサービスアプリケーションは、ＰＴＴ通信動作を実行するよう動作する。ＰＴＴ通信動作は、メッセージ転送動作、音声パケット転送動作、及びチャネルモード切り替え動作を含み得るが、これらに限定されない。チャネルモード切り替え動作は、通信装置（例えば、図２の通信装置２０２）での及び／又はセルラネットワーク（例えば、図２のセルラネットワーク２０４）の機器でのチャネルモード切り替えを促すために実行される。
【００４９】
図４に示すように、ハードウェアエンティティ４１４は、コンピュータ可読記憶媒体４１８を有するディスクドライブユニット４１６を有し得る。コンピュータ可読記憶媒体４１８には、本願明細書に記載した１又は複数の方法、手順又は機能を実施するよう構成された１又は複数の命令セット４２０（例えば、ソフトウェアコード）が格納される。命令４２０は、アクセスポイント２０６による命令４２０の実行中に、メモリ４１２内に及び／又はＣＰＵ４０６内に完全に又は少なくとも部分的に存在できる。また、メモリ４１２及びＣＰＵ４０６は、機械可読媒体を構成し得る。用語「機械可読媒体」は、本願明細書で用いられるように、命令４２０の１又は複数のセットを格納する単一の媒体又は複数の媒体（例えば、集中型若しくは分散型データベース、及び／又は関連するキャッシュ及びサーバ）を表す。また、用語「機械可読媒体」は、本願明細書で用いられるように、アクセスポイント２０６による実行のために命令４２０のセットを格納しエンコードし又は持ち運ぶことが可能であり、アクセスポイント２０６に本開示の任意の１又は複数の方法を実行させる任意の媒体を表す。
【００５０】
上述の議論から明らかなように、通信システム２００は、本発明の１又は複数の方法の実施形態を実施する。本発明の方法の実施形態は、呼設定における遅延を低減する。また、本発明の方法の実施形態は、通信装置２０２、２１４がチャネルモード間を遷移するときに、会話通信で生じ得るギャップ（例えば、図１に示したギャップ１４４、１４６）を最小化及び／又は除去する。本発明の例示的な方法の実施形態を、図５乃至図８を参照して以下に説明する。
【００５１】
＜本発明の例示的な方法の実施形態＞
図５乃至図８の各々は、本発明を理解するのに有用なセルラネットワークに基づく通信システム２００を介してＰＴＴ音声通信を提供する例示的な方法のフロー図を示す。より詳細には、図５は、アクセスポイント２０６、２１０が通信装置２０２、２１４及びセルラネットワーク２０４、２１２の機器（例えば、基地局）でのチャネルモード切り替えを促す動作を実行する例示的な方法を示す。図６は、発呼通信装置２０２及びアクセスポイント２１０がチャネルモード切り替えを促す動作を実行する例示的な方法を示す。図７は、アクセスポイント２０６及び着呼通信装置２１４がチャネルモード切り替えを促す動作を実行する例示的な方法を示す。図８は、発呼通信装置及び着呼通信装置２０２、２１４がチャネルモード切り替えを促す動作を実行する例示的な方法を示す。
【００５２】
特に、図５乃至図８に示した方法の各々では、通信装置２０２、２１４は、それらの共有チャネルモードからそれらの専用チャネルモードへ同時に又は実質的に同時に（例えば、互いに数ミリ秒以内に）遷移する。チャネルモード遷移は、会話通信の前に生じる。したがって、呼を設定するときの遅延が低減される。また、セルラネットワークに基づく通信システムの会話通信で生じ得るギャップ（例えば、図１のギャップ１４４、１４６）は、低減されるか又は除去される。
【００５３】
図５を参照して、本発明を理解するのに有用な本発明の第１の例示的な方法を説明する。上述のように、通信システム２００は、通信装置２０２、２１４を用いるＰＴＴサービス加入者にＰＴＴサービスを提供するよう構成される。ＰＴＴサービスは、通信装置２０２、２１４のＰＴＴボタン３１８を押すことによりＰＴＴサービス加入者が１又は複数の他のＰＴＴサービス加入者と直ちに会話できる即時サービスである。
【００５４】
また、上述のように及び図５に示したように、通信システム２００は、通信装置２０２、２１４及びセルラネットワーク２０４、２１２を有する。通信装置２０２、２１４は、それらのアイドルモード、バッテリ節約モード又は共有チャネルモードにある。通信装置２０２、２１４のアイドルモード及びバッテリ節約モードは、当業者に良く知られているので、ここでは説明しない。議論を明確且つ容易にするため、セルラネットワーク２０４、２１２は、ＷＣＤＭＡに基づくネットワークであると選択される。しかしながら、本発明の実施形態はこれに関して限定されない。
【００５５】
動作中、ステップ５０２に示すように、ユーザは、発呼通信装置２０２のＰＴＴボタン３１８を押下する。ＰＴＴボタン３１８の押下に応答して、ステップ５０４に示すように、発呼通信装置２０２はＰＴＴ呼設定メッセージを生成する。ＰＴＴ呼設定メッセージは、呼の種類（例えば、個別呼かグループ呼か）及び呼び出されている通信装置を識別する情報を含むが、これらに限定されない。また、ステップ５０４に示すように、ＰＴＴ呼設定メッセージは、発呼通信装置２０２からアクセスポイント２０６へ、セルラネットワーク２０４を介して、無線インタフェースの共有チャネルで送信される。
【００５６】
ＰＴＴ呼設定メッセージの送信に続き、ステップ５０８に示すように、発呼通信装置２０２は、音声パケットを記録しキューに入れる。
【００５７】
ＰＴＴ呼設定メッセージの受信に応答して、ステップ５０６により示すように、アクセスポイント２０６は、ＰＴＴ呼設定メッセージをアクセスポイント２１０へホストシステムインフラストラクチャ２０８を介して転送する。また、ステップ５０６に示すように、アクセスポイント２１０は、ＰＴＴ呼設定メッセージを着呼通信装置２１４へセルラネットワーク２１２を介して無線インタフェースの共有チャネルで転送する。ステップ５１０に示すように、ＰＴＴ呼設定メッセージを受信すると、着呼通信装置２１４は、受信モードに入り、発呼通信装置２０２からの音声パケットを待つ。
【００５８】
ＰＴＴ呼設定メッセージの受信に応答して、ステップ５１２及び５１４に示すように、アクセスポイント２０６、２１０の各々は、チャネルモード切り替え動作を実行する。チャネルモード切り替え動作は、個々の通信装置２０２、２１４及び個々のセルラネットワーク２０４、２１２の機器（例えば、基地局）でのチャネルモード切り替えを促すために実行される。チャネルモード切り替え動作は、通常、促進パケットをセルラネットワーク２０４、２１２へ、無線インタフェースの共有チャネルで通信することを含む。促進パケットは、特定の閾値と等しい又はそれより大きい量のデータを有する。
【００５９】
特に、促進パケットは、アクセスポイント２０６、２１０のメモリ装置に予め格納されるか、又はＰＴＴ呼設定メッセージの受信に応答してアクセスポイント２０６、２１０により動的に生成され得る。促進パケットがアクセスポイント２０６、２１０に予め格納される場合、促進パケットはスタッフデータを有するが、これに限定されない。促進パケットがアクセスポイント２０６、２１０で動的に生成される場合、促進パケットはスタッフデータ及び／又は非スタッフデータを有する。非スタッフデータは、管理データ、制御データ、構成データ、連絡先リスト情報、ＰＴＴ加入者情報、通信装置状態情報及び／又はＧＰＳ位置情報を含むが、これらに限定されない。促進パケットで非スタッフデータを送信することは、種々の利点がある。例えば、促進パケットに非スタッフデータを含むことは、会話通信中に送信される全体のデータ量を低減することにより、音声通信を向上させる。
【００６０】
促進パケットを受信すると、ステップ５２０、５２２に示すように、セルラネットワーク２０４、２１２の各々は、個々の通信装置２０２、２１４と情報をやり取りする。したがって通信装置２０２、２１４及びセルラネットワーク２０４、２１２の機器は、それらの共有チャネルモードからそれらの専用チャネルモードへ遷移する。特に、発呼通信装置２０２は、その共有チャネルモードから専用チャネルモードへ遷移している間は、音声パケットを送信しない。同様に、着呼通信装置２１４は、その共有チャネルモードから専用チャネルモードへ遷移している間は、音声パケットを受信しない。
【００６１】
チャネルモード遷移の後、ステップ５２３、５２４に示すように、促進パケットは、任意で、セルラネットワーク２０４、２１２から通信装置２０２、２１４へ伝達され得る。促進パケットを受信すると、ステップ５２５、５２６に示すように、通信装置２０２、２１４は促進パケットを廃棄又は処理する。
【００６２】
ステップ５２５及び５２６の完了に続き、ステップ５２７に示すように、音声パケットは、発呼通信装置２０２からアクセスポイント２０６へ、セルラネットワーク２０４を介して、専用チャネルで送信される。ステップ５２８に示すように、アクセスポイント２０６は、音声パケットをアクセスポイント２１０へホストシステムインフラストラクチャ２０８を介して転送する。また、ステップ５２８に更に示すように、アクセスポイント２１０は、音声パケットを着呼通信装置２１４へセルラネットワーク２１２を介して専用チャネルで転送する。ステップ５３０に示すように、着呼通信装置２１４で、音声パケットは処理され、会話が着呼通信装置１６４のユーザインタフェース（例えばスピーカ）を介してユーザに出力される。特に、会話は、図１に示したギャップ１４４、１４６を有しないで出力される。ギャップ１４４、１４６の除去は、（ａ）通信装置２０２、２１４による同時又は実質的に同時（例えば、互いに１００−１５０ミリ秒以内）のチャネルモード切り替えを促すこと、及び（ｂ）ステップ５２０、５２２、５２７及び５２８により示すように、会話通信の前にチャネルモード切り替えを実行すること、により達成される。
【００６３】
特に、ステップ５１２及び５１４を同時に又は実質的に同時に実行する結果として、通信装置がチャネルモード間を遷移するときの待ち時間が最小化される。また、ステップ５２０及び５２２で生じるアップスイッチ又は通信モード切り替えの前に、オーディオは受信側通信装置２１４から出力されない。
【００６４】
図６を参照して、本発明を理解するのに有用な本発明の第２の例示的な方法を説明する。上述のように及び図６に示したように、通信装置２０２、２１４は、それらのアイドルモード、バッテリ節約モード又は共有チャネルモードにある。議論を明確且つ容易にするため、セルラネットワーク２０４、２１２は、ＷＣＤＭＡに基づくネットワークであると選択される。しかしながら、本発明の実施形態はこれに関して限定されない。
【００６５】
動作中、ステップ６０２に示すように、ユーザは、発呼通信装置２０２のＰＴＴボタン３１８を押下する。ＰＴＴボタン３１８の押下に応答して、ステップ６０４に示すように、発呼通信装置２０２はＰＴＴ呼設定メッセージを生成する。ＰＴＴ呼設定メッセージは、呼の種類（例えば、個別呼かグループ呼か）及び呼び出されている通信装置を識別する情報を含むが、これらに限定されない。また、ステップ６０４に示すように、ＰＴＴ呼設定メッセージは、発呼通信装置２０２からアクセスポイント２０６へ、セルラネットワーク２０４を介して、無線インタフェースの共有チャネルで送信される。ＰＴＴ呼設定メッセージの受信に応答して、ステップ６０６により示すように、アクセスポイント２０６は、ＰＴＴ呼設定メッセージをアクセスポイント２１０へホストシステムインフラストラクチャ２０８を介して転送する。また、ステップ６０６に示すように、アクセスポイント２１０は、ＰＴＴ呼設定メッセージを着呼通信装置２１４へセルラネットワーク２１２を介して無線インタフェースの共有チャネルで転送する。ステップ６０８に示すように、ＰＴＴ呼設定メッセージを受信すると、着呼通信装置２１４は、受信モードに入り、発呼通信装置２０２からの音声パケットを待つ。
【００６６】
ＰＴＴ呼設定メッセージの送信に続き、ステップ６０７、６０９及び６１０に示すように、発呼通信装置２０２は、チャネルモード切り替えを促すためにチャネルモード切り替え動作を実行するまた、ステップ６１４に示すように、発呼通信装置２０２は音声パケットを記録しキューに入れる。
【００６７】
ステップ６０７で、発呼通信装置２０２の１又は複数のバッファは、促進パケットで満たされる。促進パケットは、特定の閾値と等しい又はそれより大きい量のデータを有する。促進パケットは、通信装置２０２のメモリ３１２に予め格納されるか、又はＰＴＴ呼設定メッセージの送信に応答して通信装置２０２により動的に生成され得る。促進パケットは、特定の閾値と等しい又はそれより大きい量のスタッフデータ及び／又は非スタッフデータを有する。非スタッフデータは、管理データ、制御データ、構成データ、連絡先リスト情報、ＰＴＴ加入者情報、通信装置状態情報及び／又はＧＰＳ位置情報を含むが、これらに限定されない。ステップ６０７の結果として、ステップ６０９に示すように、発呼通信装置２０２は、アップスイッチを要求することを決定する。その後、ステップ６１０は、発呼通信装置２０２が要求をセルラネットワーク２０４へ無線インタフェースの共有チャネルで送信する場合に実行される。
【００６８】
要求を受信すると、ステップ６１６に示すように、セルラネットワーク２０４は、発呼通信装置２０２と情報をやり取りする。情報のやり取りの結果として、発呼通信装置２０２及びセルラネットワーク２０４の機器は、それらの共有チャネルモードからそれらの専用チャネルモードへ遷移する。
【００６９】
チャネルモード変更の完了の後、ステップ６１９に示すように、発呼通信装置２０２は、任意で、促進パケットをアクセスポイント２０６へ、セルラネットワーク２０４を介して専用チャネルで送信する。促進パケットを受信すると、ステップ６２１に示すように、アクセスポイント２０６は促進パケットを廃棄又は処理する。
【００７０】
図６にはステップ６１４及び６１６が連続して生じるよう示されるが、本発明の実施形態はこれに関して限定されない。例えば、ステップ６１４及び６１６は、直列でなく並列に生じても良い。特に、通信装置２０２は、その共有チャネルモードから専用チャネルモードへ遷移している間は、音声パケットを送信しない。
【００７１】
ステップ６１０が実行されるのと同時に又は実質的に同時に、ステップ６１１に示すように、アクセスポイント２１０は、チャネルモード切り替え促すためにチャネルモード切り替え動作を実行する。チャネルモード切り替え動作は、通常、促進パケットをセルラネットワーク２１２へ、無線インタフェースの共有チャネルで通信することを含む。特に、アクセスポイント２１０から送信された促進パケットは、ステップ６０７の促進パケットと同一の大きさ又は異なる大きさであり得る。特に、促進パケットは、アクセスポイント２１０のメモリに予め格納されるか、又はＰＴＴ呼設定メッセージの受信に応答してアクセスポイント２１０により動的に生成され得る。
【００７２】
促進パケットを受信すると、セルラネットワーク２１２（例えば、基地局）は、チャネルモード切り替え動作を実行する。チャネルモード切り替え動作は、通常、着呼通信装置２１４との情報のやり取りを含む。これらの情報のやり取りの結果として、セルラネットワーク２１２の機器（例えば、基地局）は、自身の共有チャネルモードから自身の専用チャネルモードへ切り替える。同様に、発呼通信装置２１４は、自身の共有チャネルモードから自身の専用チャネルモードへ切り替える。ステップ６１８の完了の後、セルラネットワーク２１２は、任意で、促進パケットを通信装置２１４へ転送する。ステップ６２２に示すように、通信装置２１４で、促進パケットは廃棄又は処理される。
【００７３】
ステップ６２３に示すように、チャネルモード切り替えに続き、音声パケットは、発呼通信装置２０２からアクセスポイント２０６へ、セルラネットワーク２０４を介して、専用チャネルで送信される。ステップ６２４に示すように、アクセスポイント２０６は、音声パケットをアクセスポイント２１０へホストシステムインフラストラクチャ２０８を介して転送する。また、アクセスポイント２１０は、音声パケットを着呼通信装置２１４へセルラネットワーク２１２を介して専用チャネルで転送する。ステップ６２６に示すように、着呼通信装置２１４で、音声パケットは処理され、会話が着呼通信装置２１４のユーザインタフェース（例えばスピーカ）を介してユーザに出力される。
【００７４】
特に、会話は図１に示したギャップ１４４、１４６を有しないで出力できる。つまり、ステップ６１６及び６１８で生じるアップスイッチ又は通信モード切り替えの前に、会話は受信側通信装置２１４から出力されない。ギャップ１４４、１４６の除去は、（ａ）通信装置２０２、２１４による実質的に同時（例えば、互いに数ミリ秒以内）のチャネルモード切り替えを促すこと、及び（ｂ）ステップ６２３、６２４により示すように、会話通信の前にチャネルモード切り替えを実行すること、により達成される。また、ステップ６１６及び６１８を同時に又は実質的に同時に実行する結果として、通信装置がチャネルモード間を遷移するときの待ち時間が最小化される。
【００７５】
図７は、本発明を理解するのに有用な本発明の第３の例示的な方法を説明する。上述のように及び図７に示したように、通信装置２０２、２１４は、それらのアイドルモード、バッテリ節約モード又は共有チャネルモードにある。議論を明確且つ容易にするため、セルラネットワーク２０４、２１２は、ＷＣＤＭＡに基づくネットワークであると選択される。しかしながら、本発明の実施形態はこれに関して限定されない。
【００７６】
動作中、ステップ７０２に示すように、ユーザは、発呼通信装置２０２のＰＴＴボタン３１８を押下する。ＰＴＴボタン３１８の押下に応答して、ステップ７０４に示すように、発呼通信装置２０２はＰＴＴ呼設定メッセージを生成する。また、ステップ７０８に示すように、発呼通信装置２０２は音声パケットを記録しキューに入れる。ＰＴＴ呼設定メッセージは、呼の種類（例えば、個別呼かグループ呼か）及び呼び出されている通信装置を識別する情報を含むが、これらに限定されない。また、ステップ７０４に示すように、ＰＴＴ呼設定メッセージは、発呼通信装置２０２からアクセスポイント２０６へ、セルラネットワーク２０４を介して、無線インタフェースの共有チャネルで送信される。ＰＴＴ呼設定メッセージの受信に応答して、ステップ７０６により示すように、アクセスポイント２０６は、ＰＴＴ呼設定メッセージをアクセスポイント２１０へホストシステムインフラストラクチャ２０８を介して転送する。また、ステップ７０６に示すように、アクセスポイント２１０は、ＰＴＴ呼設定メッセージを着呼通信装置２１４へセルラネットワーク２１２を介して無線インタフェースの共有チャネルで転送する。
【００７７】
ＰＴＴ呼設定メッセージを受信すると、ステップ７０９、７１２に示すように、アクセスポイント２０６及び着呼通信装置２１４は、チャネルモード切り替えを促すためにチャネルモード切り替え動作を実行するアクセスポイント２０６のチャネルモード切り替え動作は、通常、促進パケットをセルラネットワーク２０４へ、無線インタフェースの共有チャネルで通信することを含む。促進パケットは、特定の閾値と等しい又はそれより大きい量のデータを有する。促進パケットは、アクセスポイント２０６のメモリに予め格納されるか、又はＰＴＴ呼設定メッセージの受信及び／又は送信に応答してアクセスポイント２０６により動的に生成され得る。促進パケットは、特定の閾値と等しい又はそれより大きい量のスタッフデータ及び／又は非スタッフデータを有する。非スタッフデータは、管理データ、制御データ、構成データ、連絡先リスト情報、ＰＴＴ加入者情報、通信装置状態情報及び／又はＧＰＳ位置情報を含むが、これらに限定されない。
【００７８】
促進パケットに応答して、ステップ７１４に示すように、セルラネットワーク２０４の機器（例えば、基地局）は、チャネルモード切り替え動作を実行する。チャネルモード切り替え動作は、通常、通信装置２０２との情報のやり取りを含む。これらの情報のやり取りの結果として、セルラネットワーク２０４の機器（例えば、基地局）は、自身の共有チャネルモードから自身の専用チャネルモードへ切り替える。同様に、通信装置２０２は、自身の共有チャネルモードから自身の専用チャネルモードへ切り替える。特に、通信装置２０２は、その共有チャネルモードから専用チャネルモードへ遷移している間は、音声パケットを送信しない。ステップ７１４の完了の後、ステップ７１７に示すように、セルラネットワーク２０４は、任意で、促進パケットを通信装置２０２へ専用チャネルで転送する。ステップ７１９に示すように、通信装置２０２で、促進パケットは廃棄又は処理される。
【００７９】
通信装置２１４のチャネルモード切り替え動作は、通常、ステップ７０９に示すように、通信装置２１４の１又は複数のバッファを促進パケットで満たすことを含む。促進パケットは、特定の閾値と等しい又はそれより大きい量のデータを有する。促進パケットは、通信装置２１４のメモリに予め格納されるか、又はＰＴＴ呼設定メッセージの受信に応答して通信装置２１４により動的に生成され得る。促進パケットは、特定の閾値と等しい又はそれより大きい量のスタッフデータ及び／又は非スタッフデータを有する。非スタッフデータは、管理データ、制御データ、構成データ、連絡先リスト情報、ＰＴＴ加入者情報、通信装置状態情報及び／又はＧＰＳ位置情報を含むが、これらに限定されない。ステップ７０９に応答して、ステップ７１３に示すように、通信装置２１４は、ネットワークのアップスイッチを要求することを決定する。その後、ステップ７１５に示すように、通信装置２１４は、要求をセルラネットワーク２１２へ無線インタフェースの共有チャネルで伝達する。
【００８０】
要求を受信すると、ステップ７１６に示すように、セルラネットワーク２１２は、発呼通信装置２１４と情報をやり取りする。情報のやり取りの結果として、発呼通信装置２１４及びセルラネットワーク２１２の機器は、それらの共有チャネルモードからそれらの専用チャネルモードへ遷移する。
【００８１】
チャネルモード変更の完了の後、ステップ７１８に示すように、発呼通信装置２１４は、任意で、促進パケットをアクセスポイント２１０へ、セルラネットワーク２１２を介して専用チャネルで送信する。促進パケットを受信すると、ステップ７２０に示すように、アクセスポイント２１０は促進パケットを廃棄又は処理する。
【００８２】
ステップ７２１に示すように、チャネルモード切り替えに続き、音声パケットは、発呼通信装置２０２からアクセスポイント２０６へ、セルラネットワーク２０４を介して、専用チャネルで送信される。ステップ７２２に示すように、アクセスポイント２０６は、音声パケットをアクセスポイント２１０へホストシステムインフラストラクチャ２０８を介して転送する。また、ステップ７２２に更に示すように、アクセスポイント２１０は、音声パケットを着呼通信装置２１４へセルラネットワーク２１２を介して専用チャネルで転送する。ステップ７２４に示すように、着呼通信装置２１４で、音声パケットは処理され、会話が着呼通信装置２１４のユーザインタフェース（例えばスピーカ）を介してユーザに出力される。特に、会話は図１に示したギャップ１４４、１４６を有しないで出力できる。つまり、ステップ７１４及び７１８で生じるアップスイッチ又は通信モード切り替えの前に、会話は受信側通信装置２１４から出力されない。ギャップ１４４、１４６の除去は、（ａ）通信装置２０２、２１４による実質的に同時（例えば、互いに数ミリ秒以内）のチャネルモード切り替えを促すこと、及び（ｂ）ステップ７１４、７１６、７２１及び７２２により示すように、会話通信の前にチャネルモード切り替えを実行すること、により達成される。また、ステップ７１４及び７１６を同時に又は実質的に同時に実行する結果として、通信装置がチャネルモード間を遷移するときの待ち時間が最小化される。
【００８３】
図８を参照して、本発明を理解するのに有用な本発明の第４の例示的な方法を説明する。上述のように及び図８に示したように、通信装置２０２、２１４は、それらのアイドルモード、バッテリ節約モード又は共有チャネルモードにある。議論を明確且つ容易にするため、セルラネットワーク２０４、２１２は、ＷＣＤＭＡに基づくネットワークであると選択される。しかしながら、本発明の実施形態はこれに関して限定されない。
【００８４】
動作中、ステップ８０２に示すように、ユーザは、発呼通信装置２０２のＰＴＴボタン３１８を押下する。ＰＴＴボタン３１８の押下に応答して、ステップ８０４に示すように、発呼通信装置２０２はＰＴＴ呼設定メッセージを生成する。ＰＴＴ呼設定メッセージは、呼の種類（例えば、個別呼かグループ呼か）及び呼び出されている通信装置を識別する情報を含むが、これらに限定されない。ＰＴＴ呼設定メッセージは、発呼通信装置２０２からアクセスポイント２０６へ、セルラネットワーク２０４を介して、無線インタフェースの共有チャネルで送信される。ＰＴＴ呼設定メッセージの受信に応答して、ステップ８０６により示すように、アクセスポイント２０６は、ＰＴＴ呼設定メッセージをアクセスポイント２１０へホストシステムインフラストラクチャ２０８を介して転送する。また、アクセスポイント２１０は、ＰＴＴ呼設定メッセージを着呼通信装置２１４へセルラネットワーク２１２を介して無線インタフェースの共有チャネルで転送する。ステップ８０８に示すように、ＰＴＴ呼設定メッセージを受信すると、着呼通信装置２１４は、受信モードに入り、発呼通信装置２０２からの音声パケットを待つ。
【００８５】
ＰＴＴ呼設定メッセージの送信に続き、ステップ８０９、８１２及び８１５に示すように、発呼通信装置２０２は、チャネルモード切り替えを促すためにチャネルモード切り替え動作を実行するまた、ステップ８１６に示すように、発呼通信装置２０２は音声パケットを記録しキューに入れる。チャネルモード切り替え動作は、通常、発呼通信装置２０２の１又は複数のバッファを促進パケットで満たすことを含む。促進パケットは、特定の閾値と等しい又はそれより大きい量のデータを有する。促進パケットは、通信装置２０２のメモリ３１２に予め格納されるか、又はＰＴＴ呼設定メッセージの送信に応答して通信装置２０２により動的に生成され得る。促進パケットは、特定の閾値と等しい又はそれより大きい量のスタッフデータ及び／又は非スタッフデータを有する。非スタッフデータは、管理データ、制御データ、構成データ、連絡先リスト情報、ＰＴＴ加入者情報、通信装置状態情報及び／又はＧＰＳ位置情報を含むが、これらに限定されない。ステップ８０９に応答して、ステップ８１２に示すように、発呼通信装置２０２は、ネットワークのアップスイッチを要求することを決定する。その後、ステップ８１５に示すように、通信装置２０２は、要求をセルラネットワーク２０４へ無線インタフェースの共有チャネルで伝達する。
【００８６】
要求に応答して、ステップ８１８に示すように、セルラネットワーク２０４の機器（例えば、基地局）は、チャネルモード切り替え動作を実行する。チャネルモード切り替え動作は、通常、発呼通信装置２０２との情報のやり取りを含む。これらの情報のやり取りの結果として、セルラネットワーク２０４の機器（例えば、基地局）は、自身の共有チャネルモードから自身の専用チャネルモードへ切り替える。同様に、発呼通信装置２０２は、自身の共有チャネルモードから自身の専用チャネルモードへ切り替える。ステップ８１８の完了に続き、ステップ８２０が実行され、促進パケットは、任意で、発呼通信装置２０２からアクセスポイント２０６へ、セルラネットワーク２０４を介して専用チャネルで送信される。このシナリオでは、ステップ８２２に示すように、アクセスポイント２０６はパケットを廃棄又は処理する。
【００８７】
図８にはステップ８１６及び８１８が連続して生じるよう示されるが、本発明の実施形態はこれに関して限定されない。例えば、ステップ８１６及び８１８は、直列でなく並列に生じても良い。特に、通信装置２０２は、その共有チャネルモードから専用チャネルモードへ遷移している間は、音声パケットを送信しない。
【００８８】
ステップ８０９、８１２及び／又は８１５が実行されるのと同時に又は実質的に同時に、ステップ８１０、８１４及び８１７に示すように、通信装置２１４は、チャネルモード切り替え促すためにチャネルモード切り替え動作を実行する。チャネルモード切り替え動作は、通常、ステップ８１０に示すように、発呼通信装置２１４の１又は複数のバッファを促進パケットで満たすことを含む。促進パケットは、特定の閾値と等しい又はそれより大きい量のデータを有する。促進パケットは、通信装置２１４のメモリ３１２に予め格納されるか、又はＰＴＴ呼設定メッセージの受信に応答して通信装置２１４により動的に生成され得る。促進パケットは、特定の閾値と等しい又はそれより大きい量のスタッフデータ及び／又は非スタッフデータを有する。非スタッフデータは、管理データ、制御データ、構成データ、連絡先リスト情報、ＰＴＴ加入者情報、通信装置状態情報及び／又はＧＰＳ位置情報を含むが、これらに限定されない。ステップ８１０に応答して、ステップ８１４に示すように、着呼通信装置２１４は、ネットワークのアップスイッチを要求することを決定する。その後、ステップ８１７に示すように、着呼通信装置２１４は、要求をセルラネットワーク２１２へ無線インタフェースの共有チャネルで伝達する。
【００８９】
要求に応答して、ステップ８１９に示すように、セルラネットワーク２１２の機器（例えば、基地局）は、チャネルモード切り替え動作を実行する。チャネルモード切り替え動作は、通常、着呼通信装置２１４との情報のやり取りを含む。これらの情報のやり取りの結果として、セルラネットワーク２１２の機器（例えば、基地局）は、自身の共有チャネルモードから自身の専用チャネルモードへ切り替える。同様に、着呼通信装置２１４は、自身の共有チャネルモードから自身の専用チャネルモードへ切り替える。ステップ８１９の完了に続き、ステップ８２１が実行され、促進パケットは、任意で、着呼通信装置２１４からアクセスポイント２１０へ、セルラネットワーク２１２を介して専用チャネルで送信される。このシナリオでは、ステップ８２３に示すように、アクセスポイント２１０はパケットを廃棄又は処理する。
【００９０】
ステップ８２４に示すように、チャネルモード切り替えに続き、音声パケットは、発呼通信装置２０２からアクセスポイント２０６へ、セルラネットワーク２０４を介して、専用チャネルで送信される。ステップ８２５に示すように、アクセスポイント２０６は、音声パケットをアクセスポイント２１０へホストシステムインフラストラクチャ２０８を介して転送する。また、ステップ８２５に更に示すように、アクセスポイント２１０は、音声パケットを着呼通信装置２１４へセルラネットワーク２１２を介して専用チャネルで転送する。ステップ８２６に示すように、着呼通信装置２１４で、音声パケットは処理され、会話が着呼通信装置２１４のユーザインタフェース（例えばスピーカ）を介してユーザに出力される。特に、会話は図１に示したギャップ１４４、１４６を有しないで出力できる。つまり、ステップ８１８及び８１９で生じるアップスイッチ又は通信モード切り替えの前に、会話は受信側通信装置２１４から出力されない。ギャップ１４４、１４６の除去は、（ａ）通信装置２０２、２１４による実質的に同時（例えば、互いに数ミリ秒以内）のチャネルモード切り替えを促すこと、及び（ｂ）ステップ８１８、８１９、８２４及び８２５により示すように、会話通信の前にチャネルモード切り替えを実行すること、により達成される。また、ステップ８１８及び８１９を同時に又は実質的に同時に実行する結果として、通信装置がチャネルモード間を遷移するときの待ち時間が最小化される。
【００９１】
本発明の方法の実施形態は完全にＷＣＤＭＡに基づく通信ネットワークにおける個別のＰＴＴアプリケーションに関して上述されたが、本発明はこれに関して限定されない。本発明の方法の実施形態は、グループＰＴＴアプリケーションで用いることもできる。これらのシナリオでは、図５〜８の方法の実施形態は相応して変更できる。例えば、促進パケットは、図５〜８に示したような単一の着呼通信装置２１４ではなく、複数の着呼通信装置から又はそれらへ送信できる。
【００９２】
さらに、本発明の方法の実施形態は、少なくとも１つのセルラネットワーク２０４、２１２がＷＣＤＭＡに基づくセルラネットワークではない場合に、ＰＴＴアプリケーションで用いることもできる。これらのシナリオでは、図５〜８の方法の実施形態は相応して変更できる。例えば、促進パケットは、ＷＣＤＭＡに基づくセルラネットワークを介してアクセスポイントに通信可能に結合される通信装置２０２、２１４へ又はそれらからのみ送信される。促進パケットは、非ＷＣＤＭＡに基づくセルラネットワークを介してアクセスポイントに通信可能に結合される通信装置２０２、２１４へ又はそれらからは送信されない。非ＷＣＤＭＡに基づくセルラネットワークは、ＬＴＥに基づくネットワーク及びＬＴＥ  Ａｄｖａｎｃｅｄを含み得るが、これらに限定されない。
【図１】
2013538515.tif 000003
【図２】
2013538515.tif 000004
【図３】
2013538515.tif 000005
【図４】
2013538515.tif 000006
【図５】
2013538515.tif 000007
【図６】
2013538515.tif 000008
【図７】
2013538515.tif 000009
【図８】
2013538515.tif 000010
【国際調査報告】
2013538515.tif 000011
2013538515.tif 000012